(57)【要約】      （修正有）【課題】携帯可能で、脱着も容易な反射材付きレッグカバーを提供する。【解決手段】ズボンを穿いたままで下腿部を被覆するための反射材付きレッグカバー１であって、下腿部を挿通する筒状を呈する蛍光色のレッグカバー本体２と、レッグカバー本体２まわりに配された少なくとも二列以上の反射材３とを備える。レッグカバー本体２には、裾２Ｌ側から上方に向かって途中位置までスリット４が形成されており、スリット４を閉じた状態に保持する保持部材として面ファスナ５が設けられている。また、レッグカバー本体２の上部開口部２Ｕに沿って環状のゴム紐が収納されている。ゴム紐には、該ゴム紐によるテンションを調節する調節部材が設けられている。【選択図】図３
0003186617.tif 000002
【実用新案登録請求の範囲】
【請求項１】
下腿部を被覆するための反射材付きレッグカバーであって、
下腿部を挿通する筒状を呈する蛍光色のレッグカバー本体と、
前記レッグカバー本体まわりに配された少なくとも二列以上の帯状の反射材とを備え、
前記レッグカバー本体には、裾側から上方に向かって途中位置までスリットが形成されており、
前記スリットを閉じた状態に保持する保持部材が設けられていることを特徴とする反射材付きレッグカバー。
【請求項２】
前記レッグカバー本体の上部開口部に沿ってゴム紐が収納されており、
前記ゴム紐には、該ゴム紐によるテンションを調節する調節部材が設けられていることを特徴とする請求項１に記載の反射材付きレッグカバー。
【請求項３】
前記レッグカバー本体の上部開口部の内側に滑り止めが設けられていることを特徴とする請求項１又は２に記載の反射材付きレッグカバー。
【請求項４】
前記レッグカバー本体の裾側の開口縁の一部が、上方に向かって凹む湾曲形状にカッティングされていることを特徴とする請求項１乃至３のいずれか１項に記載の反射材付きレッグカバー。
【考案の詳細な説明】
【技術分野】
【０００１】
本考案は、下腿部を被覆するのに利用して好適な反射材付きレッグカバーに関する。
【背景技術】
【０００２】
夜間や暗所の作業現場等では、作業者の存在を示すために、視認性を上げるべく再帰性反射材が縫合等されたベスト、上着、ズボン等の衣服を着用する。
一般の人でも、夜間のウォーキングや自転車の運転時には、反射材付き衣服を着用して、自動車の運転者等に対して存在を認識させるようにするのが好ましい。しかしながら、反射材付き衣服が一般的に広く普及しているわけではなく、ファッション的要素等からも、一般の人が反射材付き衣服を着用する機会は少ないのが実情である。
【先行技術文献】
【特許文献】
【０００３】
【特許文献１】特開２０１１−４４２３５号公報
【考案の概要】
【考案が解決しようとする課題】
【０００４】
特許文献１には、伸縮自在で、腕や足等への脱着及び持ち運びが容易な、夜間発見率向上に寄与する反射材、発光材又は蓄光材を備えた装具が開示されている。
しかしながら、特許文献１には、装具を環状にして腕や足等に装着できるようにするとの記載はあるが、下腿部を被覆するのに好適な具体的な構成については開示されていない。
【０００５】
本考案は上記のような点に鑑みてなされたものであり、携帯可能で、脱着も容易な反射材付きレッグカバーを提供することを目的とする。
【課題を解決するための手段】
【０００６】
本考案の反射材付きレッグカバーは、下腿部を被覆するための反射材付きレッグカバーであって、下腿部を挿通する筒状を呈する蛍光色のレッグカバー本体と、前記レッグカバー本体まわりに配された少なくとも二列以上の帯状の反射材とを備え、前記レッグカバー本体には、裾側から上方に向かって途中位置までスリットが形成されており、前記スリットを閉じた状態に保持する保持部材が設けられていることを特徴とする。
また、本発明の反射材付きレッグカバーの他の特徴とするところは、前記レッグカバー本体の上部開口部に沿ってゴム紐が収納されており、前記ゴム紐には、該ゴム紐によるテンションを調節する調節部材が設けられている点にある。
また、本発明の反射材付きレッグカバーの他の特徴とするところは、前記レッグカバー本体の上部開口部の内側に滑り止めが設けられている点にある。
また、本発明の反射材付きレッグカバーの他の特徴とするところは、前記レッグカバー本体の裾側の開口縁の一部が、上方に向かって凹む湾曲形状にカッティングされて点にある。
【考案の効果】
【０００７】
本考案によれば、携帯可能で、脱着も容易な反射材付きレッグカバーを提供することができる。
【図面の簡単な説明】
【０００８】
【図１】本実施形態に係る反射材付きレッグカバーの正面図である。
【図２】本実施形態に係る反射材付きレッグカバーの背面図である。
【図３】本実施形態に係る反射材付きレッグカバーにおいてスリットを開いた状態を示す図である。
【図４】本実施形態に係る反射材付きレッグカバーの着用の仕方を説明するための図である。
【図５】本実施形態に係る反射材付きレッグカバーの上部開口部まわりを示す図である。
【図６】本実施形態に係る反射材付きレッグカバーの調節部材まわりを示す図である。
【考案を実施するための形態】
【０００９】
以下、添付図面を参照して、本考案の好適な実施形態について説明する。
図１は本実施形態に係る反射材付きレッグカバー１の正面図、図２は同反射材付きレッグカバー１の背面図である。反射材付きレッグカバー（以下、単にレッグカバーと呼ぶ）１は、ズボンを穿いたままで下腿部（膝下から足首付近までの部分）を被覆するためのものである。なお、一つのレッグカバー１だけを図示するが、左右一組がセットとして使用される。
【００１０】
レッグカバー１は、下腿部を挿通する筒状を呈するレッグカバー本体２を備える。レッグカバー本体２は、視認性に優れたイエロー、オレンジ等の蛍光色となっている。レッグカバー本体２には、例えばポリエステル等のメッシュ素材を用いて、通気性及び柔軟性を持たせるようにするのが好ましい。なお、レッグカバー本体２の上下長さは、膝下から足首付近までの部分を被覆するように３０ｍ〜３５ｃｍ程度とする。
【００１１】
レッグカバー本体２まわりには、帯状の再帰性反射材３が二列に配置され、レッグカバー本体２に縫合されている。このように帯状の再帰性反射材３をレッグカバー本体２まわりに配することにより、３６０°全方向から視認できるようになっている。再帰性反射材３は、入射光を光源の方向にまっすぐに戻す再帰性反射を実現したものであり、ガラスビーズで光を屈折させるタイプやプリズムで光を屈折させるタイプがある。
【００１２】
ここで、レッグカバー本体２には、図３に示すように、裾２Ｌから上方に向かって途中位置までスリット（切り込み）４が形成されている。そして、スリット４を閉じた状態に保持する保持部材として面ファスナ５が設けられている。図４に示すように、スリット４を開くことにより、靴６を履いたままでもレッグカバー１を脱着することができる。
【００１３】
また、図２に示すように、レッグカバー本体２の裾２Ｌ側の開口縁の一部が、上方に向かって凹む湾曲形状にカッティングされている。具体的には、着用者がかかと部分を踏まないように、背面側において裾２Ｌ側の開口縁の一部が湾曲形状にカッティングされている。
【００１４】
また、図１〜図４では図示を省略しているが、図５、図６に示すように、レッグカバー本体２の上部開口部２Ｕ、すなわち膝側の開口部に沿って環状のゴム紐７が収納されている。
環状のゴム紐７の一部は外部に導出されて、調節部材８の貫通穴を挿通する。調節部材８の貫通穴を挿通したゴム紐７は、レッグカバー本体２に形成された穴９を挿通して、レッグカバー本体２の裏側に導かれている。レッグカバー本体２の裏側では、ゴム紐７にリング１０が装着されており、ゴム紐７が穴９からレッグカバー本体２の表側に抜け出ないようにしている。この構成により、引っ張ったゴム紐７をレッグカバー本体２の内側に収納でき、表側に露出する部分を少なくして邪魔にならないようにすることができる。
【００１５】
調節部材８は、ゴム紐７のテンションを調節する部材であって、貫通穴を挿通するゴム紐７が動かないように保持する。そして、ボタン８ａを押したときには、ゴム紐７の保持を解除して、ゴム紐７を出し入れできるようになっている。調節部材８はレッグカバー本体２に設けられたベルト１１で保持されており、調節部材８がレッグカバー本体２から離れないようになっている。
このようにした調節部材８付きのゴム紐７により、着用者の膝下まわりのサイズに合わせてレッグカバー１の上部開口部２Ｕを絞ることにより、各人のサイズに合わせてレッグカバー１を装着することができる。
【００１６】
また、図５に示すように、レッグカバー本体２の上部開口部２Ｕ、すなわち膝側の開口部の内側の二箇所に、例えばシリコーン製の滑り止め１２が設けられている。
このようにした滑り止め１２により、レッグカバー１がずれ落ちたり、ずれ回ったりするのを防ぐことができる。
【００１７】
以上述べたレッグカバー１を携帯しておけば、その時々の服装にかかわらず、必要なとき（例えば夜間や暗所での作業時、夜間のウォーキングや自転車の運転時）にレッグカバー１を着用することができ、視認性を上げることができる。
以上、本考案を実施形態と共に説明したが、実施形態にのみ限定されるものではなく、本考案の範囲内で変更等が可能である。
【符号の説明】
【００１８】
１：反射材付きレッグカバー、２：レッグカバー本体、３：再帰性反射材、４：スリット、５：面ファスナ、７：ゴム紐、８：調節部材、１２：滑り止め
【図１】
0003186617.tif 000003
【図２】
0003186617.tif 000004
【図３】
0003186617.tif 000005
【図４】
0003186617.tif 000006
【図５】
0003186617.tif 000007
【図６】
0003186617.tif 000008